(57)【要約】【課題】成形条件を変更するための作業を簡素化することができ、操作部の操作性を高くすることができるようにする。【解決手段】操作者による操作部の操作に基づいて表示部に形成されるようになっている。操作者によって、あらかじめ設定された成形条件を表す設定値を表示するための設定値表示部と、設定値表示部に隣接させて表示され、設定値を変更するための変更操作要素とを有する。設定画面は、操作者によって、あらかじめ設定された成形条件を表す設定値を表示するための設定値表示部と、設定値表示部に隣接させて表示され、設定値を変更するための変更操作要素とを有するので、成形条件を変更するために各数字キーを押下する必要がない。したがって、成形条件を変更するための作業を簡素化することができる。【選択図】図１
2010089283.tif 000002
【特許請求の範囲】
【請求項１】
操作者による操作部の操作に基づいて表示部に形成される設定画面において、
（ａ）操作者によってあらかじめ設定された成形条件を表す設定値を表示するための設定値表示部と、
（ｂ）該設定値表示部に隣接させて表示され、設定値を変更するための変更操作要素とを有することを特徴とする設定画面。
【請求項２】
前記変更操作要素は、射出成形機における成形条件が設定される部位のイメージ表示に対応させて表示される請求項１に記載の設定画面。
【請求項３】
（ａ）成形条件を設定するための設定画面を形成する設定画面形成処理手段と、
（ｂ）前記設定画面に、成形条件の設定値、及び該設定値を変更するための変更操作要素を表示する表示処理手段と、
（ｃ）操作者が変更操作要素を操作したときに、変更操作要素の操作に応じて設定値を変更する成形条件設定処理手段とを有することを特徴とする射出成形機。
【請求項４】
前記表示処理手段は、前記設定画面に、設定値を増加させるための第１の変更操作要素、及び設定値を減少させるための第２の変更操作要素を表示する請求項３に記載の射出成形機。
【請求項５】
前記第１の変更操作要素を操作したときの設定値の単位変更量と、第２の変更操作要素を操作したときの設定値の単位変更量とは異ならせて設定される請求項４に記載の射出成形機。
【請求項６】
前記変更操作要素を操作したときの設定値の単位変更量は、設定項目によって異ならせて設定される請求項３に記載の射出成形機。
【請求項７】
前記変更操作要素を操作したときの設定値の単位変更量は、変更操作要素の操作方法によって異ならせて設定される請求項３に記載の射出成形機。
【請求項８】
前記変更操作要素を操作したときの設定値の単位変更量を設定する単位変更量設定処理手段を有する請求項３に記載の射出成形機。
【請求項９】
（ａ）成形条件を設定するための設定画面を形成し、
（ｂ）該設定画面に、成形条件の設定値、及び該設定値を変更するための変更操作要素を表示し、
（ｃ）操作者が、変更操作要素を操作したときに、変更操作要素の操作に応じて設定値を変更することを特徴とする設定画面の表示方法。
【発明の詳細な説明】
【技術分野】
【０００１】
本発明は、設定画面、射出成形機及び設定画面の表示方法に関するものである。
【背景技術】
【０００２】
従来、成形機、例えば、射出成形機においては、加熱シリンダ内において加熱され溶融させられた樹脂が金型装置内のキャビティ空間に充填され、該キャビティ空間内において冷却され、固化させられて成形品が成形されるようになっている。
【０００３】
前記射出成形機は、前記金型装置、型締装置及び射出装置を有し、該射出装置は、前記加熱シリンダ、該加熱シリンダの前端に取り付けられ、溶融させられた樹脂を射出する射出ノズル、前記加熱シリンダ内において回転自在に、かつ、進退自在に配設されたスクリュー等を備える。そして、前記金型装置は固定金型及び可動金型を備え、前記型締装置によって可動金型を進退させることにより、金型装置の型閉じ、型締め及び型開きが行われ、型締めに伴って、前記固定金型と可動金型との間にキャビティ空間が形成される。
【０００４】
そして、計量工程時に、前記スクリューが回転させられると、前記溶融させられた樹脂がスクリューの前方に溜められ、それに伴って、スクリューが後退させられ、この間に、金型装置の型閉じ及び型締めが行われる。続いて、射出工程時に、前記スクリューが前進させられ、該スクリューの前方に溜められた樹脂が射出ノズルから射出され、キャビティ空間に充填される。次に、冷却工程時に、前記キャビティ空間内の樹脂が冷却され固化されて、成形品が成形される。続いて、型開きが行われ、前記成形品が取り出される。
【０００５】
ところで、射出成形を行うに当たり、所定の成形品について実成形、すなわち、全自動成形を開始する前に、半自動成形を行い、表示部に形成された設定画面において成形条件を設定するための作業、すなわち、成形条件出しが行われる。該成形条件出しは、全自動成形が開始されるまでに良好な成形品、すなわち、良品が得られるように、各種の設定項目についてあらかじめ設定された基本的な成形条件を変更することによって行われる。また、全自動成形が開始された後も、不良な成形品、すなわち、不良品が成形されると、その都度、成形条件は変更される。
【０００６】
ところで、成形条件を変更する場合、操作者は、操作部の数字キーを押下し、各設定項目について、成形条件を表す設定値を直接数値で入力する方法があるが、この方法では操作が煩わしくなってしまう。
【０００７】
そこで、設定画面に設定値を入力するための調整領域が設定され、該調整領域に、所定の設定項目についてあらかじめ設定された設定値を増減させるためのアップキー、ダウンキー等を表示するようにした射出成形機が提供されている。該射出成形機においては、操作者はアップキー、ダウンキー等を押下することによって、設定値を増減させ、成形条件を変更することができる（例えば、特許文献１参照。）。
【特許文献１】特開平１０−２４９９０４号公報
【発明の開示】
【発明が解決しようとする課題】
【０００８】
しかしながら、前記従来の射出成形機においては、アップキー、ダウンキー等を押下したときに、設定値が過剰に変化しすぎることがある。その場合、数字キーを操作して設定値を数値で入力し直す必要があるので、成形条件を変更するための作業が煩わしく、操作部の操作性が低くなってしまう。
【０００９】
本発明は、前記従来の射出成形機の問題点を解決して、成形条件を変更するための作業を簡素化することができ、操作部の操作性を高くすることができる設定画面、射出成形機及び設定画面の表示方法を提供することを目的とする。
【課題を解決するための手段】
【００１０】
そのために、本発明の設定画面においては、操作者による操作部の操作に基づいて表示部に形成されるようになっている。
【００１１】
そして、操作者によって、あらかじめ設定された成形条件を表す設定値を表示するための設定値表示部と、該設定値表示部に隣接させて表示され、設定値を変更するための変更操作要素とを有する。
【発明の効果】
【００１２】
本発明によれば、設定画面においては、操作者による操作部の操作に基づいて表示部に形成されるようになっている。
【００１３】
そして、操作者によって、あらかじめ設定された成形条件を表す設定値を表示するための設定値表示部と、該設定値表示部に隣接させて表示され、設定値を変更するための変更操作要素とを有する。
【００１４】
この場合、設定画面は、操作者によって、あらかじめ設定された成形条件を表す設定値を表示するための設定値表示部と、該設定値表示部に隣接させて表示され、設定値を変更するための変更操作要素とを有するので、成形条件を変更するために各数字キーを押下する必要がない。したがって、成形条件を変更するための作業を簡素化することができるだけでなく、変更操作要素を誤って押下することがなく、操作部の操作性を高くすることができる。
【発明を実施するための最良の形態】
【００１５】
以下、本発明の実施の形態について図面を参照しながら詳細に説明する。この場合、成形機としての射出成形機について説明する。
【００１６】
図２は本発明の実施の形態における射出成形機の斜視図、図３は本発明の実施の形態における射出成形機の制御装置を示すブロック図である。
【００１７】
図において、１１は射出成形機、１２は射出装置、２１は型開閉装置、２７は制御部、３０は射出成形機１１を支持するフレームであり、前記型開閉装置２１は図示されない金型装置及び型締装置２２を備え、前記制御部２７は演算装置としてのＣＰＵ５３、及び記録部としての、かつ、記憶装置としてのメモリ５４を備える。また、２８は射出装置１２と型開閉装置２１との間に配設された制御パネル、３１は表示部、３２は操作部、４１は計量用の駆動部としての計量用モータ、４３は射出用の駆動部としての射出用モータ、４５は型締用の駆動部としての型締用モータ、５２は各種のセンサによって構成される検出部である。
【００１８】
前記射出装置１２は、シリンダ部材としての加熱シリンダ１３、該加熱シリンダ１３の前端に取り付けられたノズル部材としての図示されない射出ノズル、前記加熱シリンダ１３内において回転自在に、かつ、進退自在に配設された射出部材としての図示されないスクリュー、前記加熱シリンダ１３の後端部に配設され、加熱シリンダ１３内に成形材料としての樹脂を供給するホッパ１７、前記スクリューを回転させたり、前進させたりするための駆動装置１４等を備える。なお、該駆動装置１４は、前記スクリューを回転させるための前記計量用モータ４１、前記スクリューを前進させるための前記射出用モータ４３等を備える。
【００１９】
そして、計量工程時に、前記計量用モータ４１を駆動して、スクリューを正回転させると、ホッパ１７から加熱シリンダ１３内に供給された樹脂が加熱され、溶融させられて図示されないスクリューヘッドの前方に溜められ、射出工程時に、前記射出用モータ４３を駆動して、スクリューを前進させると、スクリューヘッドの前方に溜められた樹脂が射出ノズルから射出され、金型装置内のキャビティ空間に充填される。
【００２０】
また、前記型開閉装置２１は、前記金型装置及び型締装置２２を備え、前記金型装置は、第１の金型としての固定金型及び第２の金型としての可動金型を備える。そして、前記型締装置２２は、固定支持部材としての固定プラテン２３、可動支持部材としての可動プラテン２４、該可動プラテン２４を進退させる型開閉機構としてのトグル機構２５、前記型締用モータ４５等を備え、固定プラテン２３に前記固定金型が、可動プラテン２４に前記可動金型が取り付けられる。
【００２１】
前記構成の型締装置２２において、型締用モータ４５を駆動すると、トグル機構２５が伸展させられ、可動プラテン２４が前進させられて型閉じが行われ、固定金型に可動金型が当接させられる。続いて、型締用モータ４５を更に駆動すると、トグル機構２５において型締力が発生させられ、該型締力で固定金型に可動金型が押し付けられて型締めが行われ、固定金型と可動金型との間に前記キャビティ空間が形成される。また、型締用モータ４５を逆方向に駆動すると、トグル機構２５が屈曲させられ、可動プラテン２４が後退させられ、型開きが行われる。
【００２２】
そして、前記型締めが行われた状態で、前記射出ノズルから樹脂が射出され、前記キャビティ空間に充填され、冷却されると、成形品が成形される。
【００２３】
ところで、射出成形を行うに当たり、所定の成形品について全自動成形を開始する前に、半自動成形が行われ、成形条件出しが行われる。該成形条件出しは、操作者が操作部３２を操作することによって、全自動成形が開始されるまでに良品が得られるように、各種の設定項目についてあらかじめ設定された基本的な成形条件を変更することにより行われる。また、全自動成形が開始された後も、不良品が成形されると、その都度、操作者が操作部３２を操作することによって、成形条件が変更される。なお、基本的な成形条件を表す設定値は、デフォルト値とされる。
【００２４】
そのために、前記制御パネル２８は、表示部３１及び操作部３２を備え、操作者が操作部３２を操作することによって、前記表示部３１に各種の設定画面を形成し、各種の設定を行うことができるようになっている。なお、本実施の形態においては、表示部３１はタッチパネルによって形成され、操作部としても機能する。
【００２５】
図４は本発明の実施の形態における制御パネルの例を示す図である。
【００２６】
本実施の形態においては、図４に示されるように、操作部３２の領域ＡＲ１に、機能を選択し、所定の設定画面を形成するための操作要素としての機能キー「Ｆ１」、「Ｆ２」、「Ｆ３」、「Ｆ４」、「Ｆ５」、「Ｆ６」、「Ｆ７」、「Ｆ８」、「ＣＴＲＬ」及び「ＳＨＩＦＴ」が、領域ＡＲ２に、設定画面を遷移させるための操作要素としてのアップキー「ＵＰ」及びダウンキー「ＤＯＷＮ」が、領域ＡＲ３に、カーソルを移動させるための操作要素としてのカーソル移動キーが、領域ＡＲ４に、射出成形機１１を動作させるための操作キーが、領域ＡＲ５に、成形条件の設定値を直接数値で入力するための操作要素としての入力キーが配設される。なお、該入力キーには、数字キー「０」〜「９」のほかに、小数点キー、クリアキー「ＡＣ」、「Ｃ」、入力用の確定操作要素としての実行キーｋ１１及びヘルプキー（ＨＥＬＰ）ｋ１２が配設される。また、領域ＡＲ６には、アラーム表示部が配設されるとともに、アラームに応答するための操作要素としての応答キーが配設される。
【００２７】
したがって、操作者が、領域ＡＲ１における所定の機能キーを押下し、必要に応じて、領域ＡＲ２におけるアップキー「ＵＰ」又はダウンキー「ＤＯＷＮ」を押下すると、ＣＰＵ５３の図示されない設定画面形成処理手段（設定画面形成処理部）は、設定画面形成処理を行い、表示部３１に段取、型開閉、可塑化、温度、一覧設定、成形表示、品質管理、生産管理等の設定を行うための所定の設定画面を形成し、ＣＰＵ５３の図示されない表示処理手段（表示処理部）は、表示処理を行い、前記設定画面の領域ＡＲ１１に設定画面についての説明を、領域ＡＲ１２に各設定項目の欄を、領域ＡＲ１３に、形成されている設定画面を特定する名称を表示するとともに、前記各設定項目の欄に成形条件の設定内容、すなわち、実績値及び設定値を表示する。
【００２８】
なお、前記領域ＡＲ１３は、操作者がタッチすることによって所定の設定画面を形成するための操作要素としても機能する。
【００２９】
続いて、操作者が、領域ＡＲ３において所定のカーソル移動キーを押下してカーソルを所定の設定項目に移動させ、領域ＡＲ５において所定の入力キーを押下して、設定項目について設定内容を入力し、実行キーｋ１１を押下すると、前記ＣＰＵ５３の図示されない成形条件設定処理手段（成形条件設定処理部）は、成形条件設定処理を行い、入力された設定値に従って、成形条件を設定したり、あらかじめ設定された成形条件を変更したりする。
【００３０】
なお、一つの設定項目について設定値を入力するたびに、実行キーｋ１１を押下すると、一つずつ成形条件を設定したり、変更したりすることができ、複数の設定項目について設定値を入力した後に、実行キーｋ１１を押下すると、複数の設定項目について一括して成形条件を設定したり、変更したりすることができる。
【００３１】
そして、前記表示処理手段は、形成された設定画面において、各設定項目について設定されたり、変更されたりした成形条件の設定値を表示する。
【００３２】
ところで、成形条件を変更する場合、操作者は、操作部３２の数字キーを押下し、各設定項目について、成形条件の設定値を直接数値で入力することができるようになっているが、その場合、各数字キーを押下する必要があるので、操作が煩わしいだけでなく、数字キーを誤って押下してしまうことがある。
【００３３】
そこで、本実施の形態においては、設定値を直接数値で入力するのではなく、あらかじめ設定されている設定値を増加させるための増加キー「＋」、及び設定値を減少させるための減少キー「−」を選択的にタッチ（押下）することによって設定値を入力するようにしている。
【００３４】
図１は本発明の実施の形態における設定画面の要部の例を示す図である。
【００３５】
図において、ｇ１は可塑化の設定を行うための設定画面の要部を示す画面領域であり、該画面領域ｇ１における領域ＡＲ１２は、実績値を表示するための第１の表示領域としての実績値表示領域ＡＲ２１、及び設定値を表示するための第２の表示領域としての設定値表示領域ＡＲ２２を備える。
【００３６】
この場合、前記表示処理手段は、実績値表示領域ＡＲ２１に、「スクリュ位置」のようなスクリューの位置に関する実績値、「射出圧」等のような樹脂の圧力に関する実績値、「型締力」のような型締工程時の実績値、計量工程時の「回転速度」、「計量トルク」等のようなスクリューの回転に関する実績値、「サイクル時間」（成形サイクル）、「充填時間」、「計量時間」等のような時間に関する実績値等を表示する。
【００３７】
また、前記表示処理手段は、設定値表示領域ＡＲ２２に、加熱シリンダ１３の各位置における「温度」（設定温度）のような温度に関する設定値、計量工程時のスクリューの「位置」、「背圧」、「回転」（回転速度）、「計量遅延」（計量遅延時間）等のような計量に関する設定値、サックバック時のスクリューの「位置」、「回転」（回転速度）等のような除圧に関する設定値等を表示する。さらに、前記表示処理手段は、前記設定値表示領域ＡＲ２２に、「冷却」（冷却時間）、「休止」（休止時間）、「時間」（保圧時間）、「圧力」（保圧力）等のような保圧に関する設定値、射出工程時のスクリューの「位置」、「速度」、「充填遅延」（充填遅延時間）等のような充填に関する設定値等を表示する。
【００３８】
そして、前記表示処理手段は、前記設定値表示領域ＡＲ２２において、射出成形機１１における成形条件が設定され、各設定値が表示される部位、すなわち、設定値表示部に隣接させて、かつ、射出成形機１１のイメージ表示に対応させて、各設定値を増減させるための増加キー「＋」及び減少キー「−」を表示する。
【００３９】
したがって、操作者が、増加キー「＋」又は減少キー「−」を選択的に操作し、本実施の形態においては、タッチ（押下）し、実行キーｋ１１を押下すると、前記成形条件設定処理手段は、所定の設定項目についての設定値を、増加キー「＋」又は減少キー「−」のタッチに応じて変更する。また、複数の設定項目について設定値を変更する場合、各設定項目について増加キー「＋」又は減少キー「−」を選択的にタッチして設定値を変更した後、実行キーｋ１１を押下すると、前記成形条件設定処理手段は、複数の設定項目における設定の変更値を一括して確定する。
【００４０】
なお、増加キー「＋」によって、設定値を変更するための第１の変更操作要素が、減少キー「−」によって、設定値を変更するための第２の変更操作要素が構成される。
【００４１】
例えば、変更前の設定値をｍとし、増加キー「＋」を１回タッチすることによって設定値ｍが変更される値、すなわち、単位変更量をΔαとしたとき、操作者が増加キー「＋」をｋ回タッチしたときの設定値ｎ１は、
ｎ１＝ｍ＋ｋ・Δα
になる。また、変更前の設定値をｍとし、減少キー「−」を１回タッチすることによって設定値ｍが変更される値、すなわち、単位変更量をΔβとしたとき、操作者が減少キー「−」をｋ回タッチしたときの設定値ｎ２は、
ｎ２＝ｍ−ｋ・Δβ
になる。
【００４２】
本実施の形態において、前記単位変更量Δα、Δβは同じ値にされるが、単位変更量Δα、Δβを異ならせることもできる。例えば、前記半自動成形を行うに当たり、全自動成形が開始されるまでに良品が得られるように、前記デフォルト値を変更するようになっているので、設定値ｍは安全側に、すなわち、数値が小さくなるように設定されている。したがって、設定値ｍは、数値が大きくなるように変更される可能性が高いので、前記単位変更量Δα、Δβを異ならせる場合、単位変更量Δαを、単位変更量Δβより大きくするのが好ましい。その場合、操作者は、増加キー「＋」を所定の回数タッチし、設定値ｎ１を適正な値より一旦大きくし、その後、減少キー「−」を所定の回数タッチし、設定値ｎ２を適正な値にする。
【００４３】
また、設定項目によって前記単位変更量Δα、Δβを異ならせたり、長押し、ダブルクリック等のようなタッチしている時間の長さ、タッチの回数等、増加キー「＋」及び減少キー「−」の操作方法、本実施の形態においては、タッチの方法を異ならせることによって、前記単位変更量Δα、Δβを異ならせたりすることができる。
【００４４】
さらに、前記単位変更量Δα、Δβを任意の値に設定することができる。そのために、メモリ５４に設定項目ごとに単位変更量Δα、Δβを記録するテーブルが配設される。その場合、操作者が、所定の機能キーを押下し、アップキー「ＵＰ」又はダウンキー「ＤＯＷＮ」を押下すると、設定画面形成処理手段は、表示部３１に単位変更量の設定画面を形成し、表示処理手段は、メモリ５４から単位変更量Δα、Δβを読み出し、単位変更量の設定画面に表示する。そして、操作者が、所定のカーソル移動キーを押下してカーソルを設定しようとする単位変更量に移動させ、数字キーを押下して、単位変更量Δα、Δβを入力し、実行キーｋ１１を押下すると、前記ＣＰＵ５３の図示されない単位変更量設定処理手段（単位変更量設定処理部）は、単位変更量設定処理を行い、単位変更量Δα、Δβを任意の値に設定することができる。
【００４５】
このように、本実施の形態においては、成形条件を変更する場合、各設定項目について、設定値を増加キー「＋」又は減少キー「−」を選択的にタッチすることによって変更することができるので、各数字キーを押下する必要がない。したがって、成形条件を変更するための作業を簡素化することができるだけでなく、増加キー「＋」及び減少キー「−」を誤って押下することがない。その結果、成形条件を精度良く変更することができる。
【００４６】
しかも、単位変更量Δα、Δβを変更することができるので、増加キー「＋」又は減少キー「−」を１回タッチするだけで、現在の設定値から大きく乖離した設定値が設定されることがない。したがって、成形条件を変更するための作業を簡素化することができ、操作部の操作性を高くすることができる。
【００４７】
なお、本発明は前記実施の形態に限定されるものではなく、本発明の趣旨に基づいて種々変形させることが可能であり、それらを本発明の範囲から排除するものではない。
【図面の簡単な説明】
【００４８】
【図１】本発明の実施の形態における設定画面の要部の例を示す図である。
【図２】本発明の実施の形態における射出成形機の斜視図である。
【図３】本発明の実施の形態における射出成形機の制御装置を示すブロック図である。
【図４】本発明の実施の形態における制御パネルの例を示す図である。
【符号の説明】
【００４９】
３１  表示部
３２  操作部
【図１】
2010089283.tif 000003
【図２】
2010089283.tif 000004
【図３】
2010089283.tif 000005
【図４】
2010089283.tif 000006